(57)【要約】      （修正有）【課題】簡単に挿入、抜き取りができる振動体装着具を提供する。【解決手段】持ち手本体１に振動体を持つ電動歯ブラシを利用するための振動体装着具であって、電動歯ブラシの先端部の交換部品は、先端に永久磁石６を持った頭部８と、頭部８を形成するくびれ部２３とを有し、交換部品の先端部が着脱可能となるように、交換部品の形状に型抜きした凹部１９が形成されている。凹部１９はウレタンスポンジゴム製の装着部本体１６に形成され、ヘアブラシ１３と一体化する蒲鉾状板２０の裏面２８と、装着部本体１６の上面２６とが粘着固定されている。【選択図】図４
0003219054.tif 000002
【実用新案登録請求の範囲】
【請求項１】
従来の持ち手本体に振動体を持つ電動歯ブラシを利用し、交換部品として、ヘアブラシ本体の裏側に、頭部に永久磁石を持つ振動体を取付け、電動ヘアブラシとして使用することを特徴とする。
【請求項２】
請求項１のヘアブラシの裏側に着脱可能なスプリングクリップなどを取付け、簡単に振動体が挿入、抜き取り可能な装着部をブラシと一体化したことを特徴とする。
【考案の詳細な説明】
【技術分野】
【０００１】    本考案は、いわゆる電動歯ブラシの歯ブラシ部を外して交換する、歯ブラシ部分のブラシを取り除いたものの先端部に永久磁石を埋設したものを、ヘアブラシ本体に取り付けることが出来る装着具である。
【背景技術】
【０００２】  従来振動する電動ヘヤブラシがあったが、使用目的がヘアブラシだけに限定されたものがあった。【０００３】また、持ち手とヘアブラシが一体となったもので、一般的に電動歯ブラシより大きなものとなっていた。【０００４】  また、電動歯ブラシに比べて高価なものとなっていた。
【考案の概要】
【考案が解決しようとする課題】
【０００５】    本考案は、このような欠点を解消するため考案したもので、電動ヘアブラシとしての同様の効果が得られることと磁石を持つ振動子だけで、医学的には証明されていないが、シミの改善や痛みの改善などでも使用で、軽量化と低価格化を課題とした。
【課題を解決するための手段】
【０００６】前記課題を解決するために、本考案は、前記課題を全て解決するもので、ヘアブラシ本体の裏側に一例として硬質の蓋付のウレタンゴムに凹部を設けたことで、簡単に挿入、抜き取りができる。
【考案の効果】
【０００７】  本考案は、装着部本体を一実施例として説明すると、たとえば、振動子の形状に型抜きした該装着具本体を比較的硬いウレタンスポンジゴムで形成し、樹脂材で蓋を貼着したものに前記振動子を挿入する【０００８】前記型抜きした本体は、比較的硬質なウレタンスポンジゴムなので、前記装着具の入り口から一番奥まで挿入することが出来き、先端部が固定されるが断面が楕円形なので、ヘアブラシが回転しないよう前記樹脂製の蓋部分を人差し指で軽く押さえて使用する。【０００９】該磁石を持つ振動子では、未だに磁力が人体に医学的、科学的に効果の証明をされていないが、筋肉通、関節痛やシミ取りなど効果が得られることがある。【００１０】また、電動ヘアブラシでは、周知である髪をサラサラ効果やワックスなどのツタイリング剤に頼らなくても良いので、持ち手本体が電動歯ブラシを使用するので、とても軽くて、分解してコンパクトに持ち運べるので、バッグに入れても場所を取らない。
【図面の簡単な説明】
【００１１】
【図１】は、１実施例である、本考案のヘアブラシ側から見た正面図である。
【００１２】
【図２】は、図１の裏側から見た、他の実施例を併記した背面図である。
【００１３】
【図３】は、前記図１を下方から見た斜視図である。
【００１４】
【図４】は前記図３の分解斜視図である。
【００１５】
【図５】は、一実施例として、永久磁石を埋設した先端部を患部に当てて痛みの緩和治療を行っている斜視図である。
【考案を実施するための形態】
【００１６】本考案を図面に従って、詳しく説明すると、図１から図４は一実施例として、の装着方法としてヘアブラシ本体２の裏側に装着具３を貼着したもので、本考案全体１０を説明する。
【００１７】他の実施例としてヘアブラシの裏側に装着具を一体形成したものやスプリングクリップで固定する方法もある。
【００１８】図１は、ヘアブラシ２は、蒲鉾状に湾曲した薄い板２０とヘアブラシ１３を一体成形して構成されている。
【００１９】持ち手１は、従来既成品の起振体４０と電源である電池Ｂを内蔵した持ち手本体７にＯＮ，ＯＦＦの押し釦１１と１２があり、下方には前記持ち手本体１７が電池Ｂを内蔵するため分離部９にキャップ４で蓋をされ、振動体５である先端に永久磁石６を持った頭部２５を形成するくびれ部２３の下方に凹部２４に持ち手本体１７の先端部にある突起状棒２２とが嵌合し、前記くびれ部２３が頭部８を形成する振動子５が持ち手１と上部分離部２１で１体化されている。
【００２０】前記図１では、裏側の装着部が点線で示されているので、図２で説明すると、（ａ）は本考案の図１の背面図で装着部３を示したもので、（ｂ）は装着部の他の一実施例として装着部３０と長くしたものである。
【００２１】装着部３や３０で示す点線部は、永久磁石６を持つ頭部２５に永久磁石６を２個埋設された頭部８が装着部本体３、３０の一実施例として、図４で示す通り、くびれ２３を形成た形状に凹部１９が装着部本体１６に設けられ、前記頭部８は装着部１６の入り口７から挿入する。
【００２２】前記凹部１９に頭部８を持つ振動体５を嵌合しても、凹部１９から簡単に外れないよう、ウレタンスポンジゴム製の装着部本体１６と同じ形状の樹脂製の蓋１５が貼着固着されていて、簡単に抜けない。
【００２３】前記説明した通り、装着部３は装着部本体１６と蓋１５から成り、ヘアブラシ１３と一体化する蒲鉾状薄い板２０の裏面２８と前記装着部本体１６の上面２６が貼着固着されている。
【００２４】以上図１から図４まで本考案の一実施例を説明したが、図５では、前記ヘアブラシ２から抜き取り、一実施例として、永久磁石を持つ頭部８を使用例の実施例として、右手Ｈの手首Ｎに当て治療を行っているところであるが、この治療行為は、科学的、医学的に効果を証明されていないが、肩こりや腰痛などに磁石を貼り付けたシップが治療用として販売されている。
【００２５】また、該磁力は、その他の効果として、肌のシミ取り効果や頭皮の血流が良くなる効果がある場合がある。
【００２６】本考案は、電動ヘアブラシとして軽量化と低価格化を目的として、かつ、従来の電動ヘアブラシとして使用できる。
【００２７】また、電動歯ブラシとして；使用できるので、部品交換すれば２通りの使い方ができる。
【００２８】本考案で説明したヘアブラシ２の形状は、長方形であるが、円形、楕円形などの形状としても良い。
【００２８】本考案では、従来品である電動歯ブラシを鑑み説明したが、電動ヘアブラシだけとしてでも良い。
【主な符号の説明】
【００２９】１・・・・・・持ち手本体
２・・・・・・ヘアブラシ本体
３・・・・・・装着部
４・・・・・・キャップ
５・・・・・・振動体
６・・・・・・永久磁石
７・・・・・・挿入入り口
８・・・・・・頭部
９・・・・・・キャップ当接部
１０・・・・・本考案全体
１１・・・・・ＯＮ釦
１２・・・・・ＯＦＦ釦
１３・・・・・ブラシ
１５・・・・・装着部蓋
１６・・・・・装着部本体
１７・・・・・持ち手本体
１９・・・・・凹部
２０・・・・・ブラシの蒲鉾状板
３０・・・・・装着部本体
４０・・・・・起振体
Ｂ・・・・・・電池
Ｈ・・・・・・手
Ｎ・・・・・・手首
【図１】
0003219054.tif 000003
【図２】
0003219054.tif 000004
【図３】
0003219054.tif 000005
【図４】
0003219054.tif 000006
【図５】
0003219054.tif 000007
【手続補正書】
【提出日】平成30年6月6日(2018.6.6)
【手続補正１】
【補正対象書類名】実用新案登録請求の範囲
【補正対象項目名】全文
【補正方法】変更
【補正の内容】
【実用新案登録請求の範囲】
【請求項１】
持ち手本体に振動体を持つ電動歯ブラシを利用し、該歯ブラシの先端部の交換部品として、頭部に永久磁石を持つ該交換部品の先端部が着脱可能な振動体装着具。
【請求項２】
請求項１のヘアブラシの裏側に振動体装着具の頭部に永久磁石を持つ交換部品の先端部を挿入して係合する凹部を設けたスポンジを設け、該交換部品の先端部を着脱出来るヘアブラシと一体化した振動体装着具。
【手続補正書】
【提出日】平成30年9月12日(2018.9.12)
【手続補正１】
【補正対象書類名】実用新案登録請求の範囲
【補正対象項目名】全文
【補正方法】変更
【補正の内容】
【実用新案登録請求の範囲】
【請求項１】
持ち手本体に振動体を持つ電動歯ブラシを利用するための振動体装着具であって、該電動歯ブラシの先端部の交換部は、先端に永久磁石を持った頭部と、該頭部を形成するくびれ部とを有し、該交換部品の先端部が着脱可能となるように、該交換部品の形状に型抜きした凹部が形成されていることを特徴とする振動体装着具。
【請求項２】
該凹部はウレタンスポンジゴム製の装着部本体に形成され、ヘアブラシと一体化する蒲鉾状板の裏面と、該装着部の上面とが粘着固定されていることを特徴とする、請求項１に記載の振動体装着具。